(57)【要約】      （修正有）【課題】同時に配膳、栄養バランス及びカロリー管理を補助する機能を満たし、簡易な操作のみでその効果が得られる食事用プレートを提供する。【解決手段】食事用プレートは、主にプレート本体１を含み、プレート本体１には、中央部に設けられた円形の表示部１６と、表示部１６の縁に沿って周囲に設置された複数の盛り付け部１１〜１５が設けられ、表示部１６には少なくとも二つの異なるカロリーの目盛り１６１〜１６３が設けられ、各目盛１６１〜１６３に基づいて、そこに含まれる各盛り付け部１１〜１５のエリア空間を区分する。従って、食事用プレート上の表示により、使用者が食事バランスの調整を気軽に行うための助けとなるとともに、盛り付けた内容物の分量に基づいて、食事のカロリー及び栄養素を素早く見積もることができ、これにより食事管理を達成できる。【選択図】図１
0003232341.tif 000002
【実用新案登録請求の範囲】
【請求項１】
食事用プレートであって、プレート本体を含み、前記プレート本体には表示部及び前記表示部に沿って周囲に設置された複数の盛り付け部が設けられ、前記表示部には少なくとも二つの異なるカロリーの目盛が設けられ、各前記目盛に基づいて、そこに含まれる各前記盛り付け部エリア空間の区分を行う食事用プレート。
【請求項２】
各前記盛り付け部には、順に豆・魚・玉子・肉類盛り付け部、果物類盛り付け部、第一野菜類盛り付け部、第二野菜類盛り付け部及び全粒穀物・雑穀類盛り付け部が含まれる、請求項１に記載の食事用プレート。
【請求項３】
前記豆・魚・玉子・肉類盛り付け部には、第一仕切り及び第二仕切りが設けられ、前記全粒穀物・雑穀類盛り付け部には、第三仕切り及び第四仕切りが設けられている、請求項２に記載の食事用プレート。
【請求項４】
前記表示部の中央に円形盛り付け部が設けられている、請求項１に記載の食事用プレート。
【請求項５】
各前記盛り付け部の外周部に環状折縁が設けられている、請求項２に記載の食事用プレート。
【請求項６】
前記環状折縁において、前記豆・魚・玉子・肉類盛り付け部、前記果物類盛り付け部、前記第一野菜類盛り付け部、前記第二野菜類盛り付け部及び前記全粒穀物・雑穀類盛り付け部に対応する位置に、順番に豆・魚・玉子・肉類イラスト、果物類イラスト、第一野菜類イラスト、第二野菜類イラスト及び全粒穀物・雑穀類イラストが設けられている、請求項５に記載の食事用プレート。
【請求項７】
各前記盛り付け部と前記環状折縁の境界部分に段差部が設けられ、前記段差部により前記環状折縁及び各前記盛り付け部の水平位置に落差をつけている、請求項５に記載の食事用プレート。
【請求項８】
前記表示部には、各前記目盛に対応する位置に、さらに数字及びカロリー単位を含む、請求項１に記載の食事用プレート。
【請求項９】
食事用プレートであって、プレート本体を含み、前記プレート本体には表示部及び前記表示部に沿って周囲に設置された複数の盛り付け部が設けられ、前記表示部にはカロリー数値の目盛が設けられ、前記目盛に基づいて、そこに含まれる各前記盛り付け部エリア空間の識別を行う食事用プレート。
【請求項１０】
各前記盛り付け部には、順に豆・魚・玉子・肉類盛り付け部、果物類盛り付け部、第一野菜類盛り付け部、第二野菜類盛り付け部及び全粒穀物・雑穀類盛り付け部が含まれる、請求項９に記載の食事用プレート。
【請求項１１】
前記豆・魚・玉子・肉類盛り付け部には、第一仕切り及び第二仕切りが設けられ、前記全粒穀物・雑穀類盛り付け部には、第三仕切り及び第四仕切りが設けられている、請求項１０に記載の食事用プレート。
【請求項１２】
前記表示部の中央に円形盛り付け部が設けられている、請求項９に記載の食事用プレート。
【請求項１３】
各前記盛り付け部の外周部に環状折縁が設けられている、請求項１０に記載の食事用プレート。
【請求項１４】
前記環状折縁において、前記豆・魚・玉子・肉類盛り付け部、前記果物類盛り付け部、前記第一野菜類盛り付け部、前記第二野菜類盛り付け部及び前記全粒穀物・雑穀類盛り付け部に対応する位置に、順番に豆・魚・玉子・肉類イラスト、果物類イラスト、第一野菜類イラスト、第二野菜類イラスト及び全粒穀物・雑穀類イラストが設けられている、請求項１３に記載の食事用プレート。
【請求項１５】
各前記盛り付け部と前記環状折縁の境界部分に段差部が設けられ、前記段差部により前記環状折縁及び各前記盛り付け部の水平位置に落差をつけている、請求項１３に記載の食事用プレート。
【請求項１６】
前記表示部には、前記目盛に対応する位置に、さらに数字及びカロリー単位を含む、請求項９に記載の食事用プレート。
【考案の詳細な説明】
【技術分野】
【０００１】
本考案は、食物を盛り付ける食器であり、特に食事の栄養を計画するのに用いられる食事用プレートである。
【背景技術】
【０００２】
近年、全世界において飲食及び栄養管理がますます重視されつつあり、またこれにより「健康食事法」の風潮が高まっている。
【０００３】
現在、市場に出ている食事用プレートの大部分は、仕切板で食物を隔て、食物の種類を指示するだけのもので、食物の種類が豊富なだけで、カロリー管理の効果を達成できず、やはり食事の準備を良くするためには、栄養学関連情報及びデータを組み合わせて補佐とする必要がある。
【０００４】
この点を踏まえ、本考案の考案者は、上記従来技術について、特に研究に専念し、学理の運用を組み合わせ、上記問題の解決に尽力し、即ち、これが本考案の考案者の改良の目標となった。
【考案の概要】
【考案が解決しようとする課題】
【０００５】
本考案の目的は、同時に配膳、栄養バランス及びカロリー管理を補助する機能を満たし、簡易な操作のみでその効果が得られる食事用プレートを提供することにある。
【課題を解決するための手段】
【０００６】
上記目的を達成するため、本考案は、プレート本体を含み、上記プレート本体には表示部及び当該表示部に沿って周囲に設置された複数の盛り付け部が設けられ、上記表示部には少なくとも二つの異なるカロリーの目盛りが設けられ、各上記目盛に基づいてそこに含まれる各上記盛り付け部のエリア空間の区分を行い、盛り付け部のイラスト表示に対応する食事用プレートを提供する。
【０００７】
上記目的を達成するため、本考案は、プレート本体を含み、上記プレート本体には表示部及び当該表示部に沿って周囲に設置された複数の盛り付け部が設けられ、上記表示部にはカロリー数値の目盛が設けられ、上記目盛に基づいてそこに含まれる各上記盛り付け部エリア空間の識別を行う食事用プレートを提供する。
【考案の効果】
【０００８】
従来技術と比較して、本考案は、上記表示部のイラスト表示により配膳指標を提供し、カロリー値の目盛に基づいて参考数値を提供し、盛り付け部の異なる容量を組み合わせており、これにより本考案の食事用プレートは、その他の栄養学関連情報を必要とせずに、カロリー管理、栄養バランスという目標を達成できる。
【図面の簡単な説明】
【０００９】
【図１】本考案の食事用プレートの立体外観図である。
【図２】本考案の食事用プレートの上面図である。
【考案を実施するための形態】
【００１０】
本考案の詳細及び技術的内容について、図式を使用して下記のとおり説明するが、添付の図式は参考及び説明のために提供するものであり、本考案に制限を加えるために用いるものではない。
【実施例】
【００１１】
図１及び図２を参照されたい。本考案の食事用プレートの立体外観図及び上面図である。本考案は食事用プレートであり、主にプレート本体１を含み、上記プレート本体１には表示部１６及び当該表示部１６の周囲に設置された豆・魚・玉子・肉類盛り付け部１１、果物類盛り付け部１２、第一野菜類盛り付け部１３、第二野菜類盛り付け部１４及び全粒穀物・雑穀類盛り付け部１５が設けてある。表示部１６には、異なるカロリーの第一目盛１６１、第二目盛１６２及び第三目盛１６３が設けてあり、各上記目盛に基づいて、そこに含まれる豆・魚・玉子・肉類盛り付け部１１及び全粒穀物・雑穀類盛り付け部１５のエリア空間の識別を行う。
【００１２】
プレート本体１は円形の皿状であり、プラスチック又はステンレス製であるが、これらの材質に限定されない。上記プレート本体１には手で持つのに便利なように環状折縁１７が設けられ、当該環状折縁１７にはイラスト表示があり、簡単な図示の方式によって栄養素分類原則に従って、それぞれ果物類、第一野菜類、第二野菜類、全粒穀物・雑穀類及び豆・魚・玉子・肉類に対応する各上記盛り付け部が設置され、そのうち豆・魚・玉子・肉類は、豆腐・魚・目玉焼き及び肉のイラストで表示され、これが豆・魚・玉子・肉類イラスト１７１であり、豆・魚・玉子・肉類盛り付け部１１の外周部の環状折縁１７上に印刷されている。果物類は、パイナップル及びリンゴで表示され、これが果物類イラスト１７２であり、果物類盛り付け部１２の外周部の環状折縁１７上に印刷されている。第一野菜類は、ニンジン及びカリフラワーのイラストで表示され、これが第一野菜類イラスト１７３であり、第一野菜類盛り付け部１３の外周部の環状折縁１７上に印刷されている。また第二野菜類は、キャベツ及びナスのイラストで表示され、これが第二野菜類イラスト１７４であり、第二野菜類盛り付け部１４の外周部の環状折縁１７上に印刷されている。全粒穀物・雑穀類は、茶碗１杯のごはんのイラストで表示され、これが全粒穀物・雑穀類イラスト１７５であり、全粒穀物・雑穀類盛り付け部１５の外周部の環状折縁１７上に印刷されている。可読性を高めることができるため、高齢者の使用に便利であり、また配膳者又は使用者が異なるカロリー及び栄養需要に対応して調整可能であるため、配膳の利便性が増す。
【００１３】
環状折縁１７と、豆・魚・玉子・肉類盛り付け部１１、果物類盛り付け部１２、第一野菜類盛り付け部１３、第二野菜類盛り付け部１４及び全粒穀物・雑穀類盛り付け部１５の隣接部には段差部１８を設け、この段差部１８は段でも傾斜でもよく、特に限定しないが、本実施例では段状であり、上記環状折縁１７及び各上記盛り付け部の隣接部の水平位置に落差をつけることによって、内容物が漏出しにくいようにしている。
【００１４】
豆・魚・玉子・肉類盛り付け部１１には、第一仕切り１１１及び第二仕切り１１２を設け、また全粒穀物・雑穀類盛り付け部１５には、第三仕切り１５１及び第四仕切り１５２を設け、上記盛り付け部内に盛り付けた食物の分量を管理しやすくしている。
【００１５】
表示部１６には、プレート中央に設けられた円形盛り付け部１６４及び当該円形盛り付け部１６４の周囲に設けられた第一目盛１６１、第二目盛１６２及び第三目盛１６３があり、上記円形盛り付け部１６４はコップやスープ椀を置くことができ、人体に必要な乳品類や堅果種子類の栄養素を賄うことができる。第一目盛は数字で３００キロカロリー（ｋｃａｌ）を表示し、上記豆・魚・玉子・肉類盛り付け部１１内の第一仕切り１１１から反時計回り方向に、順番に果物類盛り付け部１２、第一野菜類盛り付け部１３、第二野菜類盛り付け部１４、全粒穀物・雑穀類盛り付け部１５内の上記第四仕切り１５２までの盛り付け分量を含む。第二目盛は数字で５００キロカロリー（ｋｃａｌ）を表示し、上記豆・魚・玉子・肉類盛り付け部１１内の第二仕切り１１２から反時計回り方向に、順番に果物類盛り付け部１２、第一野菜類盛り付け部１３、第二野菜類盛り付け部１４、全粒穀物・雑穀類盛り付け部１５内の上記第三仕切り１５１までの盛り付け分量を含む。第三目盛は数字で７００キロカロリー（ｋｃａｌ）を表示し、豆・魚・玉子・肉類盛り付け部１１、果物類盛り付け部１２、第一野菜類盛り付け部１３、第二野菜類盛り付け部１４及び全粒穀物・雑穀類盛り付け部１５の全部に盛り付けた分量を含む。
【００１６】
上記からわかるとおり、食事に含まれるカロリーを管理したい場合、食事用プレート上の盛り付け部１１、１２、１３、１４、１５及びイラスト表示１７１、１７２、１７３、１７４、１７５に基づいて配膳するだけでよく、栄養士に相談したり、資料を探したりといった繁雑な工程を省略可能である。
【００１７】
上記内容をまとめると、本考案の食事用プレートは、食事で提供するカロリーの予測管理及び栄養バランスへの適合という効果を達成できるとともに、既知の機能を改良し、また新規性及び進歩性を兼ね備え、実用新案登録要件に完全に適合するため、実用新案登録の出願を行う。考案者の権利を保障するため、精査の上、本考案を実用新案として登録賜りたく謹んでお願い申し上げる。
【符号の説明】
【００１８】
１：プレート本体
１１：豆・魚・玉子・肉類盛り付け部
１１１：第一仕切り
１１２：第二仕切り
１２：果物類盛り付け部
１３：第一野菜類盛り付け部
１４：第二野菜類盛り付け部
１５：全粒穀物・雑穀類盛り付け部
１５１：第三仕切り
１５２：第四仕切り
１６：表示部
１６１：第一目盛
１６２：第二目盛
１６３：第三目盛
１６４：円形盛り付け部
１７：環状折縁
１７１：豆・魚・玉子・肉類イラスト
１７２：果物類イラスト
１７３：第一野菜類イラスト
１７４：第二野菜類イラスト
１７５：全粒穀物・雑穀類イラスト
１８：段差部
【図１】
0003232341.tif 000003
【図２】
0003232341.tif 000004
【手続補正書】
【提出日】令和3年4月1日(2021.4.1)
【手続補正１】
【補正対象書類名】実用新案登録請求の範囲
【補正対象項目名】全文
【補正方法】変更
【補正の内容】
【実用新案登録請求の範囲】
【請求項１】
食事用プレートであって、プレート本体を含み、前記プレート本体には円形の表示部及び複数の盛り付け部が設けられており、
前記表示部は前記プレート本体の中央部に設けられ、複数の前記盛り付け部は円形の前記表示部の縁に沿って、前記表示部を取り囲むように配置されており、
前記表示部は、円形盛り付け部、及び、前記円形盛り付け部の外周の環状の部分に設けられた少なくとも二つの異なるカロリーの目盛を有し、各前記目盛に基づいて、そこに含まれる各前記盛り付け部エリア空間の区分を行う食事用プレート。
【請求項２】
各前記盛り付け部には、順に豆・魚・玉子・肉類盛り付け部、果物類盛り付け部、第一野菜類盛り付け部、第二野菜類盛り付け部及び全粒穀物・雑穀類盛り付け部が含まれる、請求項１に記載の食事用プレート。
【請求項３】
前記豆・魚・玉子・肉類盛り付け部には、第一仕切り及び第二仕切りが設けられ、前記全粒穀物・雑穀類盛り付け部には、第三仕切り及び第四仕切りが設けられている、請求項２に記載の食事用プレート。
【請求項４】
各前記盛り付け部の外周部に環状折縁が設けられている、請求項２に記載の食事用プレート。
【請求項５】
前記環状折縁において、前記豆・魚・玉子・肉類盛り付け部、前記果物類盛り付け部、前記第一野菜類盛り付け部、前記第二野菜類盛り付け部及び前記全粒穀物・雑穀類盛り付け部に対応する位置に、順番に豆・魚・玉子・肉類イラスト、果物類イラスト、第一野菜類イラスト、第二野菜類イラスト及び全粒穀物・雑穀類イラストが設けられている、請求項４に記載の食事用プレート。
【請求項６】
各前記盛り付け部と前記環状折縁の境界部分に段差部が設けられ、前記段差部により前記環状折縁及び各前記盛り付け部の水平位置に落差をつけている、請求項４に記載の食事用プレート。
【請求項７】
前記表示部には、各前記目盛に対応する位置に、さらに数字及びカロリー単位を含む、請求項１に記載の食事用プレート。
【請求項８】
食事用プレートであって、プレート本体を含み、前記プレート本体には円形の表示部及び複数の盛り付け部が設けられており、
前記表示部は前記プレート本体の中央部に設けられ、複数の前記盛り付け部は、円形の前記表示部の縁に沿って、前記表示部を取り囲むように配置されており、
前記表示部は、円形盛り付け部、及び、前記円形盛り付け部の外周の環状の部分に設けられたカロリー数値の目盛を有し、前記目盛に基づいて、そこに含まれる各前記盛り付け部エリア空間の識別を行う食事用プレート。
【請求項９】
各前記盛り付け部には、順に豆・魚・玉子・肉類盛り付け部、果物類盛り付け部、第一野菜類盛り付け部、第二野菜類盛り付け部及び全粒穀物・雑穀類盛り付け部が含まれる、請求項８に記載の食事用プレート。
【請求項１０】
前記豆・魚・玉子・肉類盛り付け部には、第一仕切り及び第二仕切りが設けられ、前記全粒穀物・雑穀類盛り付け部には、第三仕切り及び第四仕切りが設けられている、請求項９に記載の食事用プレート。
【請求項１１】
各前記盛り付け部の外周部に環状折縁が設けられている、請求項９に記載の食事用プレート。
【請求項１２】
前記環状折縁において、前記豆・魚・玉子・肉類盛り付け部、前記果物類盛り付け部、前記第一野菜類盛り付け部、前記第二野菜類盛り付け部及び前記全粒穀物・雑穀類盛り付け部に対応する位置に、順番に豆・魚・玉子・肉類イラスト、果物類イラスト、第一野菜類イラスト、第二野菜類イラスト及び全粒穀物・雑穀類イラストが設けられている、請求項１１に記載の食事用プレート。
【請求項１３】
各前記盛り付け部と前記環状折縁の境界部分に段差部が設けられ、前記段差部により前記環状折縁及び各前記盛り付け部の水平位置に落差をつけている、請求項１１に記載の食事用プレート。
【請求項１４】
前記表示部には、前記目盛に対応する位置に、さらに数字及びカロリー単位を含む、請求項８に記載の食事用プレート。